(57)【要約】【課題】本発明は、無線通信システムにおいて制御情報を伝送する方法及びそのための装置に関する。【解決手段】複数のＰＵＳＣＨ（Ｐｈｙｓｉｃａｌ  Ｕｐｌｉｎｋ  Ｓｈａｒｅｄ  ＣＨａｎｎｅｌ）伝送のための複数のスケジューリング情報を受信することと、ＵＣＩ（Ｕｐｌｉｎｋ  Ｃｏｎｔｒｏｌ  Ｉｎｆｏｒｍａｔｉｏｎ）伝送が必要なサブフレームで前記複数のＰＵＳＣＨ伝送がある場合に、前記ＵＣＩを前記複数のＰＵＳＣＨのいずれか一ＰＵＳＣＨを通じて伝送することと、を含み、前記サブフレームでプライマリリソース上にＰＵＳＣＨ伝送がある場合に、前記ＵＣＩを前記プライマリリソースのＰＵＳＣＨを通じて伝送し、前記サブフレームで前記プライマリリソース上にＰＵＳＣＨ伝送がない場合に、前記ＵＣＩを、ＰＵＳＣＨ伝送がある複数のセカンダリリソースのうち、最小のインデックスを持つセカンダリリソースのＰＵＳＣＨを通じて伝送する。【選択図】図２７
2013537727.tif 000002
【特許請求の範囲】
【請求項１】
無線通信システムにおいて端末が制御情報を伝送する方法であって、
複数のＰＵＳＣＨの伝送のための複数のスケジューリング情報を受信するステップと、
ＵＣＩ伝送が必要なサブフレームで前記複数のＰＵＳＣＨの伝送がある場合に、前記複数のＰＵＳＣＨの中の一つのＰＵＳＣＨを通じてＵＣＩを伝送するステップと、を含み、
前記サブフレームでプライマリリソース上にＰＵＳＣＨ伝送がある場合に、前記ＵＣＩは前記プライマリリソースのＰＵＳＣＨを通じて伝送され、
前記サブフレームで前記プライマリリソース上にＰＵＳＣＨ伝送がない場合に、前記ＵＣＩは、ＰＵＳＣＨ伝送がある複数のセカンダリリソースのうち、最小のインデックスを持つセカンダリリソースのＰＵＳＣＨを通じて伝送される、方法。
【請求項２】
前記プライマリリソースはＰＣＣに対応し、前記セカンダリリソースはＳＣＣに対応する、請求項１に記載の方法。
【請求項３】
前記ＵＣＩは、周期的ＣＳＩ及びＡＣＫ／ＮＡＣＫのうち少なくとも一つを含む、請求項１に記載の方法。
【請求項４】
前記インデックスは、ＣＣ識別に用いられる論理インデックスであり、ＲＲＣシグナリングにより設定される、請求項１に記載の方法。
【請求項５】
前記ＵＣＩ伝送が必要なサブフレームと、前記複数のＰＵＳＣＨの伝送があるサブフレームとが異なる場合に、ＰＵＣＣＨを通じて前記ＵＣＩを伝送するステップをさらに含む、請求項１に記載の方法。
【請求項６】
無線通信システムにおいて制御情報を伝送するように構成された端末であって、
ＲＦユニットと、
プロセッサと、を備え、
前記プロセッサは、複数のＰＵＳＣＨの伝送のための複数のスケジューリング情報を受信し、ＵＣＩ伝送が必要なサブフレームで前記複数のＰＵＳＣＨの伝送がある場合に、前記複数のＰＵＳＣＨの中の一つのＰＵＳＣＨを通じてＵＣＩを伝送するように構成され、
前記サブフレームでプライマリリソース上にＰＵＳＣＨ伝送がある場合に、前記ＵＣＩは前記プライマリリソースのＰＵＳＣＨを通じて伝送され、
前記サブフレームで前記プライマリリソース上にＰＵＳＣＨ伝送がない場合に、前記ＵＣＩは、ＰＵＳＣＨ伝送がある複数のセカンダリリソースのうち、最小のインデックスを持つセカンダリリソースのＰＵＳＣＨを通じて伝送される、端末。
【請求項７】
前記プライマリリソースはＰＣＣに対応し、前記セカンダリリソースはＳＣＣに対応する、請求項６に記載の端末。
【請求項８】
前記ＵＣＩは、周期的ＣＳＩ及びＡＣＫ／ＮＡＣＫのうち少なくとも一つを含む、請求項６に記載の端末。
【請求項９】
前記インデックスは、ＣＣ識別に用いられる論理インデックスであり、ＲＲＣシグナリングを通じて設定される、請求項６に記載の端末。
【請求項１０】
前記ＵＣＩ伝送が必要なサブフレームと、前記複数のＰＵＳＣＨの伝送があるサブフレームとが異なる場合に、前記プロセッサは、ＰＵＣＣＨを通じて前記ＵＣＩを伝送するように構成された、請求項６に記載の端末。
【発明の詳細な説明】
【技術分野】
【０００１】
本発明は、無線通信システムに係り、特に、制御情報を伝送する方法及び装置に関する。無線通信システムは、キャリアアグリゲーション（Ｃａｒｒｉｅｒ  Ａｇｇｒｅｇａｔｉｏｎ：ＣＡ）を支援することができる。
【背景技術】
【０００２】
無線通信システムが音声やデータなどのような種々の通信サービスを提供するために広範囲に展開されている。一般に、無線通信システムは、可用システムリソース（帯域幅、伝送パワーなど）を共有してマルチユーザーとの通信を支援できる多重接続（ｍｕｌｔｉｐｌｅ  ａｃｃｅｓｓ）システムである。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線通信システムにおいて制御情報を効率よく伝送する方法及びそのための装置を提供することにある。本発明の他の目的は、制御情報を伝送するためのリソースを効率よく割り当てる方法及びそのための装置を提供することにある。
【０００４】
本発明で達成しようとする技術的課題は、以上に言及している技術的課題に制限されるものではなく、言及していない他の技術的課題は、下の記載から、本発明の属する技術の分野における通常の知識を有する者には明らかになるであろう。
【課題を解決するための手段】
【０００５】
本発明の一態様として、無線通信システムにおいて端末が制御情報を伝送する方法において、複数のＰＵＳＣＨ（Ｐｈｙｓｉｃａｌ  Ｕｐｌｉｎｋ  Ｓｈａｒｅｄ  ＣＨａｎｎｅｌ）伝送のための複数のスケジューリング情報を受信することと、ＵＣＩ（Ｕｐｌｉｎｋ  Ｃｏｎｔｒｏｌ  Ｉｎｆｏｒｍａｔｉｏｎ）伝送が必要なサブフレームで前記複数のＰＵＳＣＨ伝送がある場合に、前記ＵＣＩを、前記複数のＰＵＳＣＨのいずれか一つのＰＵＳＣＨを通じて伝送することと、を含み、前記サブフレームでプライマリリソース上にＰＵＳＣＨ伝送がある場合に、前記ＵＣＩを前記プライマリリソースのＰＵＳＣＨを通じて伝送し、前記サブフレームで前記プライマリリソース上にＰＵＳＣＨ伝送がない場合に、前記ＵＣＩを、ＰＵＳＣＨ伝送がある複数のセカンダリリソースのうち、最小のインデックスを持つセカンダリリソースのＰＵＳＣＨを通じて伝送する、方法が提供される。
【０００６】
本発明の他の態様として、無線通信システムにおいて制御情報を伝送するように構成された端末において、ＲＦ（Ｒａｄｉｏ  Ｆｒｅｑｕｅｎｃｙ）ユニットと、プロセッサと、を備え、前記プロセッサは、複数のＰＵＳＣＨ（Ｐｈｙｓｉｃａｌ  Ｕｐｌｉｎｋ  Ｓｈａｒｅｄ  ＣＨａｎｎｅｌ）伝送のための複数のスケジューリング情報を受信し、ＵＣＩ（Ｕｐｌｉｎｋ  Ｃｏｎｔｒｏｌ  Ｉｎｆｏｒｍａｔｉｏｎ）伝送が必要なサブフレームで前記複数のＰＵＳＣＨ伝送がある場合に、前記ＵＣＩを、前記複数のＰＵＳＣＨのいずれか一つのＰＵＳＣＨを通じて伝送するように構成され、前記サブフレームでプライマリリソース上にＰＵＳＣＨ伝送がある場合に、前記ＵＣＩは前記プライマリリソースのＰＵＳＣＨを通じて伝送され、前記サブフレームで前記プライマリリソース上にＰＵＳＣＨ伝送がない場合に、前記ＵＣＩは、ＰＵＳＣＨ伝送がある複数のセカンダリリソースのうち、最小のインデックスを持つセカンダリリソースのＰＵＳＣＨを通じて伝送される、端末が提供される。
【０００７】
好適には、前記プライマリリソースはＰＣＣ（Ｐｒｉｍａｒｙ  Ｃｏｍｐｏｎｅｎｔ  Ｃａｒｒｉｅｒ）に対応し、前記セカンダリリソースはＳＣＣ（Ｓｅｃｏｎｄａｒｙ  Ｃｏｍｐｏｎｅｎｔ  Ｃａｒｒｉｅｒ）に対応する。
【０００８】
好適には、前記ＵＣＩは、周期的ＣＳＩ（Ｃｈａｎｎｅｌ  Ｓｔａｔｕｓ  Ｉｎｆｏｒｍａｔｉｏｎ）及びＡＣＫ／ＮＡＣＫ（Ａｃｋｎｏｗｌｅｄｇｅｍｅｎｔ／Ｎｅｇａｔｉｖｅ  ＡＣＫ）のうち少なくとも一つを含む。
【０００９】
好適には、前記インデックスは、ＣＣ識別に用いられる論理インデックスであり、ＲＲＣ（Ｒａｄｉｏ  Ｒｅｓｏｕｒｃｅ  Ｃｏｎｔｒｏｌ）シグナリングにより設定される。
【００１０】
好適には、前記ＵＣＩ伝送が必要なサブフレームと、前記複数のＰＵＳＣＨ伝送があるサブフレームとが異なる場合に、前記ＵＣＩはＰＵＣＣＨ（Ｐｈｙｓｉｃａｌ  Ｕｐｌｉｎｋ  Ｃｏｎｔｒｏｌ  ＣＨａｎｎｅｌ）を通じて伝送される。
【発明の効果】
【００１１】
本発明によれば、無線通信システムにおいて制御情報を効率よく伝送することができる。また、制御情報伝送のためのリソースを効率よく割り当てることができる。
【００１２】
本発明で得られる効果は、以上で言及した効果に制限されず、言及していない他の効果は、下の記載から、本発明の属する技術の分野における通常の知識を有する者には明確に理解されるであろう。
本発明に関する理解を助けるために詳細な説明の一部として含まれる添付図面は、本発明に係る実施例を提供し、詳細な説明と共に本発明の技術的思想を説明する。
【図面の簡単な説明】
【００１３】
【図１】無線通信システムの一例である３ＧＰＰ ＬＴＥシステムに用いられる物理チャネル及びこれらのチャネルを用いた一般的な信号伝送方法を例示する図である。
【図２】アップリンク信号処理手順を例示する図である。
【図３】ダウンリンク信号処理手順を例示する図である。
【図４】ＳＣ−ＦＤＭＡ方式とＯＦＤＭＡ方式を例示する図である。
【図５】単一搬送波特性を満たすための周波数ドメイン上の信号マッピング方式を例示する図である。
【図６】クラスタＳＣ−ＦＤＭＡにおいてＤＦＴプロセス出力サンプルが単一キャリアにマッピングされる信号処理手順を例示する図である。
【図７】クラスタＳＣ−ＦＤＭＡにおいてＤＦＴプロセス出力サンプルがマルチキャリア（ｍｕｌｔｉ−ｃａｒｒｉｅｒ）にマッピングされる信号処理手順を例示する図である。
【図８】クラスタＳＣ−ＦＤＭＡにおいてＤＦＴプロセス出力サンプルがマルチキャリアにマッピングされる信号処理手順を例示する図である。
【図９】セグメントＳＣ−ＦＤＭＡにおける信号処理手順を例示する図である。
【図１０】アップリンクサブフレームの構造を例示する図である。
【図１１】ＵＬ−ＳＣＨデータ及び制御情報の処理手順を例示する図である。
【図１２】ＰＵＳＣＨ上で制御情報及びＵＬ−ＳＣＨデータの多重化を示す図である。
【図１３】ＭＩＭＯ（Ｍｕｌｔｉｐｌｅ  Ｉｎｐｕｔ  Ｍｕｌｔｉｐｌｅ  Ｏｕｔｐｕｔ）システムにおいて制御情報とＵＬ−ＳＣＨデータとの多重化を示す図である。
【図１４】ＭＩＭＯシステムにおいて制御情報とＵＬ−ＳＣＨデータとの多重化を示す図である。
【図１５】ＭＩＭＯシステムにおいて制御情報とＵＬ−ＳＣＨデータとの多重化を示す図である。
【図１６】基地局でダウンリンクコンポーネントキャリアを管理する概念を例示する図である。
【図１７】端末でアップリンクコンポーネントキャリアを管理する概念を例示する図である。
【図１８】基地局で一つのＭＡＣがマルチキャリアを管理する概念を例示する図である。
【図１９】端末で一つのＭＡＣがマルチキャリアを管理する概念を例示する図である。
【図２０】基地局で複数のＭＡＣがマルチキャリアを管理する概念を例示する図である。
【図２１】端末で複数のＭＡＣがマルチキャリアを管理する概念を例示する図である。
【図２２】基地局で複数のＭＡＣがマルチキャリアを管理する概念を例示する図である。
【図２３】端末で複数のＭＡＣがマルチキャリアを管理する概念を例示する図である。
【図２４】複数のＤＬ ＣＣと１個のＵＬ ＣＣとがリンクされた非対称キャリアアグリゲーションを例示する図である。
【図２５】本発明の実施例に係るＵＣＩピギーバックシナリオを例示する図である。
【図２６】本発明の実施例に係るＵＣＩピギーバックシナリオを例示する図である。
【図２７】本発明の実施例に係るＵＣＩピギーバックシナリオを例示する図である。
【図２８】本発明の実施例に係るＵＣＩピギーバックシナリオを例示する図である。
【図２９】本発明の実施例に係るＵＣＩピギーバックシナリオを例示する図である。
【図３０】本発明の実施例に係るＵＣＩピギーバックシナリオを例示する図である。
【図３１】本発明の実施例に係るＵＣＩピギーバックシナリオを例示する図である。
【図３２】本発明に適用されうる基地局及び端末を示す図である。
【発明を実施するための形態】
【００１４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術とすることができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ） ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ＬＴＥ−Ａ（Ａｄｖａｎｃｅｄ）は、３ＧＰＰ ＬＴＥの進展したバージョンである。説明を明確にするために、３ＧＰＰ ＬＴＥ／ＬＴＥ−Ａを中心に説明するが、これに本発明の技術的思想が制限されることはない。
【００１５】
無線通信システムにおいて、端末は基地局からダウンリンク（Ｄｏｗｎｌｉｎｋ：ＤＬ）を通じて情報を受信し、端末は基地局にアップリンク（Ｕｐｌｉｎｋ：ＵＬ）を通じて情報を伝送する。基地局と端末が送受信する情報は、データ及び様々な制御情報を含み、これらが送受信する情報の種類／用途に応じて様々な物理チャネルが存在する。
【００１６】
図１は、３ＧＰＰ ＬＴＥシステムに用いられる物理チャネル及びこれらのチャネルを用いた一般的な信号伝送方法を説明するための図である。
【００１７】
電源が消えた状態で再び電源が入ったり、セルに新しく進入したりした端末は、段階Ｓ１０１において、基地局と同期を合わせる等の初期セル探索（Ｉｎｉｔｉａｌ  ｃｅｌｌ  ｓｅａｒｃｈ）作業を行う。このために、端末は基地局からプライマリ同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及びセカンダリ同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を合わせ、セルＩＤなどの情報を獲得する。その後、端末は、基地局から物理放送チャネル（Ｐｈｙｓｉｃａｌ  Ｂｒｏａｄｃａｓｔ  Ｃｈａｎｎｅｌ）を受信してセル内の放送情報を獲得することができる。一方、端末は、初期セル探索段階においてダウンリンク参照信号（Ｄｏｗｎｌｉｎｋ  Ｒｅｆｅｒｅｎｃｅ  Ｓｉｇｎａｌ：ＤＬ ＲＳ）を受信して、ダウンリンクチャネル状態を確認することができる。
【００１８】
初期セル探索を終えた端末は、段階Ｓ１０２において、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び該物理ダウンリンク制御チャネル情報に対応する物理ダウンリンク共有チャネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信して、より具体的なシステム情報を獲得することができる。
【００１９】
その後、端末は基地局への接続を確立するために、段階Ｓ１０３乃至段階Ｓ１０６のようなランダムアクセス手順（Ｒａｎｄｏｍ  Ａｃｃｅｓｓ  Ｐｒｏｃｅｄｕｒｅ）を行うことができる。そのために、端末は、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を通じてプリアンブルを伝送し（Ｓ１０３）、物理ダウンリンク制御チャネル及びこれに対応する物理ダウンリンク共有チャネルを通じて、プリアンブルに対する応答メッセージを受信することができる（Ｓ１０４）。競合ベースランダムアクセスの場合は、追加の物理ランダムアクセスチャネルの伝送（Ｓ１０５）、及び物理ダウンリンク制御チャネル及びこれに対応する物理ダウンリンク共有チャネルの受信（Ｓ１０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００２０】
以上の手順を行った端末は、以降、一般的なアップリンク／ダウンリンク信号伝送手順として、物理ダウンリンク制御チャネル／物理ダウンリンク共有チャネルの受信（Ｓ１０７）及び物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）／物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）の伝送（Ｓ１０８）を行うことができる。端末が基地局に伝送する制御情報を総称してアップリンク制御情報（Ｕｐｌｉｎｋ  Ｃｏｎｔｒｏｌ  Ｉｎｆｏｒｍａｔｉｏｎ：ＵＣＩ）とする。ＵＣＩは、ＨＡＲＱ ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）などを含む。ＵＣＩは、主に、ＰＵＣＣＨを通じて伝送されるが、制御情報及びトラフィックデータが同時に伝送されるべき場合は、ＰＵＳＣＨを通じて伝送されてもよい。また、ネットワークの要請／指示に応じてＰＵＳＣＨを通じてＵＣＩを非周期的に伝送することもある。
【００２１】
図２は、端末がアップリンク信号を伝送するための信号処理手順を説明するための図である。
【００２２】
アップリンク信号を伝送するために、端末は、スクランブリング（ｓｃｒａｍｂｌｉｎｇ）モジュール２０１で端末特定スクランブル信号を用いて伝送信号をスクランブルすることができる。スクランブルされた信号は変調マッパー２０２に入力され、伝送信号の種類及び／またはチャネル状態に基づいてＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）または１６ＱＡＭ／６４ＱＡＭ（Ｑｕａｄｒａｔｕｒｅ  Ａｍｐｌｉｔｕｄｅ  Ｍｏｄｕｌａｔｉｏｎ）方式を用いて複素シンボル（ｃｏｍｐｌｅｘ  ｓｙｍｂｏｌ）に変調される。変調された複素シンボルは、変換プリコーダ２０３で処理した後にリソース要素マッパー２０４に入力され、リソース要素マッパー２０４は、複素シンボルを時間−周波数リソース要素にマッピングすることができる。このように処理された信号は、ＳＣ−ＦＤＭＡ信号生成器２０５を経てアンテナから基地局に伝送することができる。
【００２３】
図３は、基地局がダウンリンク信号を伝送するための信号処理手順を説明するための図である。
【００２４】
３ＧＰＰ ＬＴＥシステムにおいて、基地局は、ダウンリンクで一つ以上のコードワード（ｃｏｄｅｗｏｒｄ）を伝送することができる。図２のアップリンクと同様、スクランブルモジュール３０１及び変調マッパー３０２を経てコードワードのそれぞれを複素シンボルにすることができる。その後、複素シンボルを、レイヤーマッパー３０３により複数のレイヤー（Ｌａｙｅｒ）にマッピングし、プリコーディングモジュール３０４で各レイヤーをプリコーディング行列とかけて、各伝送アンテナに割り当てることができる。このように処理した各アンテナ別伝送信号のそれぞれを、リソース要素マッパー３０５で時間−周波数リソース要素にマッピングし、以降、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）信号生成器３０６を経て各アンテナから伝送することができる。
【００２５】
無線通信システムにおいて端末がアップリンクで信号を伝送する場合は、基地局がダウンリンクで信号を伝送する場合に比べて、ＰＡＰＲ（Ｐｅａｋ−ｔｏ−Ａｖｅｒａｇｅ  Ｒａｔｉｏ）が問題となる。そのため、図２及び図３で説明したように、アップリンク信号伝送には、ダウンリンク信号伝送に用いられるＯＦＤＭＡ方式ではなく、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式が用いられている。
【００２６】
図４は、ＳＣ−ＦＤＭＡ方式とＯＦＤＭＡ方式を説明するための図である。３ＧＰＰシステムは、ダウンリンクではＯＦＤＭＡを採用し、アップリンクではＳＣ−ＦＤＭＡを採用する。
【００２７】
図４を参照すると、アップリンク信号伝送のための端末及びダウンリンク信号伝送のための基地局は、直列−並列変換器（Ｓｅｒｉａｌ−ｔｏ−Ｐａｒａｌｌｅｌ  Ｃｏｎｖｅｒｔｅｒ）４０１、副搬送波マッパー４０３、Ｍ−ポイントＩＤＦＴモジュール４０４、並列−直列変換器（Ｐａｒａｌｌｅｌ−ｔｏ−Ｓｅｒｉａｌ  Ｃｏｎｖｅｒｔｅｒ）４０５及びＣＰ（Ｃｙｃｌｉｃ  Ｐｒｅｆｉｘ）付加モジュール４０６を備えている点では同一である。ただし、ＳＣ−ＦＤＭＡ方式で信号を伝送するための端末は、Ｎ−ポイントＤＦＴモジュール４０２をさらに備える。Ｎ−ポイントＤＦＴモジュール４０２は、Ｍ−ポイントＩＤＦＴモジュール４０４のＩＤＦＴ処理の影響を一定部分打ち消すことによって、伝送信号に単一搬送波特性（ｓｉｎｇｌｅ  ｃａｒｒｉｅｒ  ｐｒｏｐｅｒｔｙ）を持たせる。
【００２８】
図５は、周波数ドメインで単一搬送波特性を満たすための周波数ドメイン上の信号マッピング方式を説明する図である。図５の（ａ）は、ローカル型マッピング（ｌｏｃａｌｉｚｅｄ  ｍａｐｐｉｎｇ）方式を示し、図５の（ｂ）は、分散型マッピング（ｄｉｓｔｒｉｂｕｔｅｄ  ｍａｐｐｉｎｇ）方式を示す。
【００２９】
ＳＣ−ＦＤＭＡの修正された形態であるクラスタ（ｃｌｕｓｔｅｒｅｄ）ＳＣ−ＦＤＭＡについて説明する。クラスタＳＣ−ＦＤＭＡは、副搬送波マッピング過程でＤＦＴプロセス出力サンプルを副グループ（ｓｕｂ−ｇｒｏｕｐ）に分け、これらを周波数ドメイン（あるいは副搬送波ドメイン）に不連続的にマッピングする。
【００３０】
図６は、クラスタＳＣ−ＦＤＭＡにおいてＤＦＴプロセス出力サンプルが単一キャリアにマッピングされる信号処理手順を示す図である。図７及び図８は、クラスタＳＣ−ＦＤＭＡにおいてＤＦＴプロセス出力サンプルがマルチキャリア（ｍｕｌｔｉ−ｃａｒｒｉｅｒ）にマッピングされる信号処理手順を示す図である。図６は、イントラキャリア（ｉｎｔｒａ−ｃａｒｒｉｅｒ）クラスタＳＣ−ＦＤＭＡを適用する例であり、図７及び図８は、インターキャリア（ｉｎｔｅｒ−ｃａｒｒｉｅｒ）クラスタＳＣ−ＦＤＭＡを適用する例に該当する。図７は、周波数ドメインで連続的（ｃｏｎｔｉｇｕｏｕｓ）にコンポーネントキャリア（ｃｏｍｐｏｎｅｎｔ  ｃａｒｒｉｅｒ）が割り当てられた状況において、隣接したコンポーネントキャリア間の副搬送波の間隔（ｓｐａｃｉｎｇ）が整列された場合に、単一のＩＦＦＴブロックを通じて信号を生成する例を示す。図８は、周波数ドメインで不連続的（ｎｏｎ−ｃｏｎｔｉｇｕｏｕｓ）にコンポーネントキャリアが割り当てられた状況において複数のＩＦＦＴブロックを通じて信号を生成する場合を示す。
【００３１】
図９は、セグメント（ｓｅｇｍｅｎｔｅｄ）ＳＣ−ＦＤＭＡの信号処理手順を示す図である。
【００３２】
セグメントＳＣ−ＦＤＭＡは、任意個数のＤＦＴ及び同じ個数のＩＦＦＴが適用されてＤＦＴとＩＦＦＴとの関係構成が一対一の関係を有すことから、単純に既存ＳＣ−ＦＤＭＡのＤＦＴ拡散とＩＦＦＴの周波数副搬送波マッピング構成を拡張したもので、ＮｘＳＣ−ＦＤＭＡまたはＮｘＤＦＴ−ｓ−ＯＦＤＭＡと表現されることもある。これらを包括して本明細書ではセグメントＳＣ−ＦＤＭＡと呼ぶ。図９を参照すると、セグメントＳＣ−ＦＤＭＡは、単一搬送波特性条件を緩和するために、全体時間ドメイン変調シンボルを、Ｎ（Ｎは、１より大きい整数）個のグループにし、グループ単位にＤＦＴプロセスを行う。
【００３３】
図１０は、アップリンクサブフレームの構造を示す図である。
【００３４】
図１０を参照すると、アップリンクサブフレームは、複数（例、２個）のスロットを含む。スロットは、ＣＰ（Ｃｙｃｌｉｃ  Ｐｒｅｆｉｘ）の長さによってそれぞれ異なる個数のＳＣ−ＦＤＭＡシンボルを有することができる。一例として、一般（ｎｏｒｍａｌ）ＣＰの場合は、スロットは７個のＳＣ−ＦＤＭＡシンボルを有することができる。アップリンクサブフレームは、データ領域と制御領域とに区別される。データ領域は、ＰＵＳＣＨを含み、音声などのデータ信号を伝送するのに用いられる。制御領域は、ＰＵＣＣＨを含み、制御情報を伝送するのに用いられる。ＰＵＣＣＨは、周波数軸においてデータ領域の両端部に位置しているＲＢ対（ＲＢ  ｐａｉｒ）（例、ｍ＝０，１，２，３））（例、周波数反射（ｆｒｅｑｕｅｎｃｙ  ｍｉｒｒｏｒｅｄ）された位置のＲＢ対）を含み、スロットを境界にホッピングする。アップリンク制御情報（すなわち、ＵＣＩ）は、ＨＡＲＱ ＡＣＫ／ＮＡＣＫ、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）などを含む。
【００３５】
図１１は、ＵＬ−ＳＣＨデータと制御情報の処理手順を例示する図である。
【００３６】
図１１を参照すると、エラー検出が、ＣＲＣ（Ｃｙｃｌｉｃ  Ｒｅｄｕｎｄａｎｃｙ  Ｃｈｅｃｋ）付加を通じてＵＬ−ＳＣＨ伝送ブロックに提供される（Ｓ１００）。
【００３７】
【表１】
2013537727.tif 000003
【００３８】
【表２】
2013537727.tif 000004
【００３９】
【表３】
2013537727.tif 000005
【００４０】
【表４】
2013537727.tif 000006
【００４１】
アップリンク制御情報は、チャネル品質情報（ＣＱＩ及び／またはＰＭＩ）、ＲＩ及びＨＡＲＱ−ＡＣＫのチャネルコーディングがそれぞれ独立して行われる。ＵＣＩのチャネルコーディングは、それぞれの制御情報のための符号化されたシンボルの個数に基づいて行われる。例えば、符号化されたシンボルの個数を、符号化された制御情報のレートマッチングに用いることができる。符号化されたシンボルの個数は、以降の過程において変調シンボルの個数、ＲＥの個数などに対応する。
【００４２】
【表５】
2013537727.tif 000007
【００４３】
【表６】
2013537727.tif 000008
【００４４】
【表７】
2013537727.tif 000009
【００４５】
【表８】
2013537727.tif 000010
【００４６】
【表９】
2013537727.tif 000011
【００４７】
【表１０】
2013537727.tif 000012
【００４８】
チャネルインターリーバは、ＰＵＳＣＨ伝送のために制御情報とＵＬ−ＳＣＨデータとを多重化する。具体的に、チャネルインターリーバは、ＰＵＳＣＨリソースに対応するチャネルインターリーバ行列に制御情報及びＵＬ−ＳＣＨデータをマッピングする過程を含む。
【００４９】
【表１１】
2013537727.tif 000013
【００５０】
【表１２】
2013537727.tif 000014
【００５１】
図１２を参照すると、ＣＱＩ及び／またはＰＭＩ（ＣＱＩ／ＰＭＩ）リソースは、ＵＬ−ＳＣＨデータリソースの開始部分に位置し、一つの副搬送波上で全ＳＣ−ＦＤＭＡシンボルに順次にマッピングされた後に、次の副搬送波でマッピングがなされる。ＣＱＩ／ＰＭＩは、副搬送波内で左側から右側へ、すなわち、ＳＣ−ＦＤＭＡシンボルインデックスが増加する方向にマッピングされる。ＰＵＳＣＨデータ（ＵＬ−ＳＣＨデータ）は、ＣＱＩ／ＰＭＩリソースの量（すなわち、符号化されたシンボルの個数）を考慮してレート−マッチングされる。ＵＬ−ＳＣＨデータと同じ変調次数（ｍｏｄｕｌａｔｉｏｎ  ｏｒｄｅｒ）がＣＱＩ／ＰＭＩに用いられる。ＣＱＩ／ＰＭＩ情報サイズ（ペイロードサイズ）が小さい場合（例、１１ビット以下）に、ＣＱＩ／ＰＭＩ情報には、ＰＵＣＣＨ伝送時と同様に、（３２，ｋ）ブロックコードが用いられ、符号化されたデータは循環反復されうる。ＣＱＩ／ＰＭＩ情報サイズが小さい場合にＣＲＣは用いられない。ＣＱＩ／ＰＭＩ情報サイズが大きい場合（例、１１ビットを超える場合）に、８ビットＣＲＣが付加され、テール−バイティング畳み込み符号（ｔａｉｌ−ｂｉｔｉｎｇ  ｃｏｎｖｏｌｕｔｉｏｎａｌ  ｃｏｄｅ）を用いてチャネルコーディング及びレートマッチングが行われる。ＡＣＫ／ＮＡＣＫは、ＵＬ−ＳＣＨデータがマッピングされたＳＣ−ＦＤＭＡのリソースの一部にパンクチャリングにより挿入される。ＡＣＫ／ＮＡＣＫはＲＳに隣接して位置し、該当のＳＣ−ＦＤＭＡシンボル内で下方から上方へ、すなわち、副搬送波インデックスが増加する方向に埋められる。ノーマルＣＰではに、同図のように、ＡＣＫ／ＮＡＣＫのためのＳＣ−ＦＤＭＡシンボルは各スロットにおいてＳＣ−ＦＤＭＡシンボル＃２／＃５に位置する。サブフレームにおいてＡＣＫ／ＮＡＣＫが実際に伝送されるか否かにかかわらずに、符号化されたＲＩは、ＡＣＫ／ＮＡＣＫのためのシンボルに隣接して位置する。ＡＣＫ／ＮＡＣＫ、ＲＩ及びＣＱＩ／ＰＭＩは独立してコーディングされる。
【００５２】
図１３に、ＭＩＭＯ（Ｍｕｌｔｉｐｌｅ  Ｉｎｐｕｔ  Ｍｕｌｔｉｐｌｅ  Ｏｕｔｐｕｔ）システムにおいて制御情報とＵＬ−ＳＣＨデータとの多重化を示す。
【００５３】
図１３を参照すると、端末は、ＰＵＳＣＨ伝送のためのスケジューリング情報から、ＵＬ−ＳＣＨ（データパート）のためのランク（ｎ＿ｓｃｈ）及びこれと関連したＰＭＩを識別する（Ｓ１３１０）。また、端末は、ＵＣＩのためのランク（ｎ＿ｃｔｒｌ）を決定する（Ｓ１３２０）。これに制限されるものではないが、ＵＣＩのランクは、ＵＬ−ＳＣＨのランクと同一に設定される（ｎ＿ｃｔｒｌ＝ｎ＿ｓｃｈ）。その後、データと制御チャネルとの多重化が行われる（Ｓ１３３０）。続いて、チャネルインターリーバは、データ／ＣＱＩの時間−優先マッピングを行い、ＤＭ ＲＳの周辺をパンクチャリングしてＡＣＫ／ＮＡＣＫ／ＲＩをマッピングする（Ｓ１３４０）。その後、ＭＣＳテーブルに基づいてデータ及び制御チャネルの変調が行われる（Ｓ１３５０）。変調方式としては、例えば、ＱＰＳＫ、１６ＱＡＭ、６４ＱＡＭを含む。変調ブロックの順序／位置は変更されてもよい（例、データと制御チャネルとの多重化の前）。
【００５４】
図１４及び図１５は、本発明の一実施例によって複数のＵＬ−ＳＣＨ伝送ブロック及び制御情報を多重化して伝送する例を示す図である。便宜上、同図は、２つのコードワードが伝送される場合を仮定しているが、本発明がこれに制限されるわけではない。コードワードと伝送ブロックとは同義であり、本明細書でこれらは混用される。基本的な過程は、図１１及び図１２を参照して説明した通りであるから、ここではＭＩＭＯに関連した部分を中心に説明する。
【００５５】
図１４及び図１５を参照すると、それぞれのコードワードは、チャネルコーディング後に、与えられたＭＣＳテーブルに基づいてレート−マッチングされる。その後、エンコーディングされたビットは、セル−特定（ｃｅｌｌ−ｓｐｅｃｉｆｉｃ）、ＵＬ−特定、ＵＥ−特定、コードワード−特定方式でスクランブルされる。次に、スクランブルされたコードワードに対して、コードワード−対−レイヤーマッピングが行われる。コードワード−対−レイヤーマッピングは、例えば、レイヤーシフティング（またはパーミュテーション）などの動作を含むことができる。コードワード−対−レイヤーマッピングの例を、図１５に示す。以降の動作は、レイヤー単位に行われるという点を除けば、前述した説明と同一／類似している。ただし、ＭＩＭＯの場合は、ＤＦＴプリコーディングの出力に対してＭＩＭＯプリコーディングが適用される。ＭＩＭＯプリコーディングは、レイヤー（あるいは、仮想アンテナ）を物理アンテナにマッピング／分配する役割を果たす。ＭＩＭＯプリコーディングは、プリコーディング行列を用いて行われるもので、図示とは異なる順序／位置にしてもよい。
【００５６】
ＵＣＩ（例、ＣＱＩ、ＰＭＩ、ＲＩ、ＡＣＫ／ＮＡＣＫなど）は、与えられた方式によって独立してチャネルコーディングされる。エンコーディングされたビットの個数は、ビット−サイズコントローラにより制御される（ハッチングブロック）。ビット−サイズコントローラは、チャネルコーディングブロックに含まれるとよい。ビット−サイズコントローラは、下記のように動作することができる。
【００５７】
１．ＰＵＳＣＨのためのＲＩ（ｎ＿ｒａｎｋ＿ｐｕｓｃｈ）を識別する。
【００５８】
２．ｎ＿ｒａｎｋ＿ｃｔｒｌ＝ｎ＿ｒａｎｋ＿ｐｕｓｃｈに設定して、制御チャネルのためのビットの数（ｎ＿ｂｉｔ＿ｃｔｒｌ）の個数をｎ＿ｅｘｔ＿ｃｔｒｌ＝ｎ＿ｒａｎｋ＿ｃｔｒｌ＊ｎ＿ｂｉｔ＿ｃｔｒｌに拡張させる。
【００５９】
Ａ．一方法として、制御チャネルのビットを単純反復させて制御チャネルのビットを拡張することができる。例えば、制御チャネルのビットが［ａ０ ａ１ ａ２ ａ３］（すなわち、ｎ＿ｂｉｔ＿ｃｔｒｌ＝４）であり、ｎ＿ｒａｎｋ＿ｐｕｓｃｈ＝２であるとすれば、拡張された制御チャネルビットは［ａ０ ａ１ ａ２ ａ３ ａ０ ａ１ ａ２ ａ３］（すなわち、ｎ＿ｅｘｔ＿ｃｔｒｌ＝８）になりうる。
【００６０】
Ｂ．他の方法として、循環バッファー概念を適用してｎ＿ｅｘｔ＿ｃｔｒｌになる制御チャネルのビットを拡張することができる。
【００６１】
ビット−サイズコントローラとチャネルコーディングブロックとが統合された場合（例、ＣＱＩ／ＰＭＩ制御チャネルの場合）には、チャネルコーディングを適用してエンコーディングされたビットを生成し、既存のＬＴＥ規則に基づいてレートマッチングを行うことができる。
【００６２】
ビット−サイズコントローラに加えて、ビット−レベルインターリービングを適用することで、より多いランダム化をレイヤーに提供することができる。
【００６３】
制御チャネルのランクをデータチャネルのランクと同一に制限することは、シグナリングオーバーヘッドの観点で有利である。データと制御チャネルのランクが異なる場合は、制御チャネルのためのＰＭＩをさらにシグナリングすることが必要である。また、データと制御チャネルのために同一のＲＩを用いることは、多重化チェーンを単純化するのにも役立つ。そのため、制御チャネルの有効ランクは１であるが、制御チャネルを伝送するのに実際に用いられたランクはｎ＿ｒａｎｋ＿ｐｕｓｃｈでもよい。受信の側面では、それぞれのレイヤーに対してＭＩＭＯデコーダが適用された後、それぞれのＬＬＲ出力はＭＲＣ（Ｍａｘｉｍｕｍ  Ｒａｔｉｏ  Ｃｏｍｂｉｎｉｎｇ）を用いて累積される。
【００６４】
ＣＱＩ／ＰＭＩチャネルと２つのコードワードのデータパートとはデータ／コントロール多重化ブロックにより多重化される。次に、チャネルインターリーバは、時間−優先マッピングを具現し、かつＨＡＲＱ ＡＣＫ／ＮＡＣＫ情報がサブフレームの両スロットに存在するとともに、アップリンク復調基準信号の周辺リソースにマッピングされるように保障する。
【００６５】
その後、それぞれのレイヤーに、変調、ＤＦＴプリコーディング、ＭＩＭＯプリコーディング、及びＲＥマッピングが行われる。
【００６６】
この時、全レイヤーに分配されるＡＣＫ／ＮＡＣＫ、ＲＩには、レイヤー特定スクランブルリングが追加されてもよい。また、ＣＱＩ／ＰＭＩのＵＣＩに対しては、特定コードワードを選択してピギーバックを行うことができる。
【００６７】
以下、キャリアアグリゲーション（Ｃａｒｒｉｅｒ  Ａｇｇｒｅｇａｔｉｏｎ、ＣＡ）通信システムについて説明する。マルチキャリアシステムまたはキャリアアグリゲーションシステムは、広帯域支援のために目標帯域（ｂａｎｄｗｉｄｔｈ）よりも小さい帯域を持つ複数のキャリアを組み合わせて用いるシステムのことをいう。目標帯域よりも小さい帯域を持つ複数のキャリアを組み合わせる時に、組み合わされるキャリアの帯域は、既存システムとの互換（ｂａｃｋｗａｒｄ  ｃｏｍｐａｔｉｂｉｌｉｔｙ）のために、既存システムで用いる帯域幅に制限されてもよい。例えば、既存のＬＴＥシステムは、１．４、３、５、１０、１５、２０ＭＨｚの帯域幅を支援し、ＬＴＥシステムから進展したＬＴＥ−Ａ（ＬＴＥ−Ａｄｖａｎｃｅｄ）システムは、ＬＴＥで支援する帯域幅のみを用いて２０ＭＨｚよりも大きい帯域幅を支援することができる。または、既存システムで用いる帯域幅にかかわらず、新しい帯域幅を定義してキャリアアグリゲーションを支援してもよい。マルチキャリアは、キャリアアグリゲーション及び帯域幅組み合わせに代える名称である。また、キャリアアグリゲーションは、隣接した（ｃｏｎｔｉｇｕｏｕｓ）キャリアアグリゲーションと隣接していない（ｎｏｎ−ｃｏｎｔｉｇｕｏｕｓ）キャリアアグリゲーションを総称する。コンポーネントキャリアは、組み合わせられる周波数帯域のキャリア周波数（または、中心キャリア、中心周波数）を意味する。
【００６８】
図１６は、基地局でダウンリンクコンポーネントキャリアを管理する概念を示す図であり、図１７は、端末でアップリンクコンポーネントキャリアを管理する概念を示す図である。説明の便宜のために、以下では、図１６及び図１７において、上位層をＭＡＣと簡略化して説明する。
【００６９】
図１８は、基地局において一つのＭＡＣがマルチキャリアを管理する概念を説明する。図１９は、端末において一つのＭＡＣがマルチキャリアを管理する概念を説明する。
【００７０】
図１８及び図１９を参照すると、一つのＭＡＣが一つ以上の周波数キャリアを管理及び運営して送受信を行う。一つのＭＡＣにより管理される周波数キャリアは、互いに隣接する必要がないため、リソース管理の側面においてより柔軟（ｆｌｅｘｉｂｌｅ）であるという利点がある。図１８及び図１９で、一つのＰＨＹは、便宜上、一つのコンポーネントキャリアを意味するとする。ここで、一つのＰＨＹは、必ずしも独立したＲＦ（Ｒａｄｉｏ  Ｆｒｅｑｕｅｎｃｙ）デバイスを意味するわけではない。一般に、一つの独立したＲＦデバイスは、一つのＰＨＹを意味するが、これに限定されず、一つのＲＦデバイスは複数のＰＨＹを含むこともできる。
【００７１】
図２０は、基地局において複数のＭＡＣがマルチキャリアを管理する概念を説明する。図２１は、端末において複数のＭＡＣがマルチキャリアを管理する概念を説明する。図２２は、基地局において複数のＭＡＣがマルチキャリアを管理する他の概念を説明する。図２３は、端末において複数のＭＡＣがマルチキャリアを管理する他の概念を説明する。
【００７２】
図１８及び図１９に示すような構造に限定されず、図２０乃至図２３のように、複数のキャリアを、一つのＭＡＣではなく複数のＭＡＣが制御することもできる。
【００７３】
図２０及び図２１に示すように、それぞれのキャリアをそれぞれのＭＡＣが１：１で制御することもでき、図２２及び図２３に示すように、一部のキャリアについては、それぞれのキャリアをそれぞれのＭＡＣが１：１で制御し、残り１個以上のキャリアを一つのＭＡＣが制御することもできる。
【００７４】
上記のシステムは、１個〜Ｎ個の多数のキャリアを含むシステムであり、各キャリアは隣接して用いられることもあり、非隣接（ｎｏｎ−ｃｏｎｔｉｇｕｏｕｓ）して用いられることもある。これは、アップリンク／ダウンリンクを問わずに適用可能である。ＴＤＤシステムは、それぞれのキャリア内にダウンリンクとアップリンクの伝送を含むＮ個の複数キャリアを運営するように構成され、ＦＤＤシステムは、複数のキャリアをアップリンクとダウンリンクにそれぞれ用いるように構成される。ＦＤＤシステムの場合に、アップリンクとダウンリンクで組み合わされるキャリアの数及び／またはキャリアの帯域幅が異なる非対称的なキャリアアグリゲーションも支援することができる。
【００７５】
アップリンクとダウンリンクで組み合わせられたコンポーネントキャリアの個数が同一であれば、全てのコンポーネントキャリアを既存システムと互換可能に構成することが可能である。しかし、互換性を考慮しないコンポーネントキャリアが本発明から排除されるわけではない。
【００７６】
以下では、説明の便宜のために、ＰＤＣＣＨがダウンリンクコンポーネントキャリア＃０で伝送された時に、該当のＰＤＳＣＨはダウンリンクコンポーネントキャリア＃０で伝送されるとして説明するが、交差−キャリアスケジュールリング（ｃｒｏｓｓ−ｃａｒｒｉｅｒ  ｓｃｈｅｄｕｌｉｎｇ）が適用されることで、該当のＰＤＳＣＨが他のダウンリンクコンポーネントキャリアを通じて伝送されてもよいことは明らかである。
【００７７】
端末は、ＵＬ伝送時に、構成によってＳＣ−ＦＤＭＡ方式またはクラスタＤＦＴ−ｓ−ＯＦＤＭＡ方式のいずれかを用いることができる。伝送方式は、構成された全ＵＬ ＣＣに同一に適用されてもよく、各ＵＬ ＣＣごとに独立して運営されてもよい。
【００７８】
図２４には、キャリアアグリゲーションが支援される無線通信システムにおいて、ＵＣＩが伝送されるシナリオを例示する。ＵＣＩは、例えば、ＨＡＲＱ ＡＣＫ／ＮＡＣＫ（Ａ／Ｎ）、チャネル状態情報（例、ＣＱＩ、ＰＭＩ、ＲＩ）、スケジューリング要請情報（例、ＳＲ）を含むことができる。
【００７９】
図２４には、５個のＤＬ ＣＣが１個のＵＬ ＣＣとリンクされた非対称キャリアアグリゲーションを例示する。例示した非対称キャリアアグリゲーションは、ＵＣＩ伝送の観点で設定したものでよい。すなわち、ＵＣＩのためのＤＬ ＣＣ−ＵＬ ＣＣリンケージとデータのためのＤＬ ＣＣ−ＵＬ ＣＣリンケージとを、異なるように設定することができる。複数のＤＬ ＣＣに対する制御情報（ＵＣＩ）が一つのＵＬ ＣＣを通じて伝送されるように制限することができる。例えば、複数のＤＬ ＣＣに対するＣＱＩ／ＰＭＩ／ＲＩ、ＡＣＫ／ＮＡＣＫを、複数のＵＬ ＣＣのうち、特定のＵＬ ＣＣ（例、アンカーＵＬ ＣＣ）を通じて伝送することができる。ＤＬ ＣＣ及びＵＬ ＣＣをそれぞれ、ＤＬ Ｃｅｌｌ及びＵＬ Ｃｅｌｌと呼ぶこともできる。また、アンカーＤＬ ＣＣ及びアンカーＵＬ ＣＣをそれぞれ、ＤＬプライマリＣＣ（ＤＬ  Ｐｒｉｍａｒｙ  ＣＣ、ＤＬ ＰＣＣ）及びＵＬプライマリＣＣ（ＵＬ  Ｐｒｉｍａｒｙ  ＣＣ、ＵＬ ＰＣＣ）と呼ぶこともできる。
【００８０】
ＤＬプライマリＣＣを、ＵＬプライマリＣＣとリンケージされたＤＬ ＣＣと規定することができる。ここで、リンケージは、暗黙的（ｉｍｐｌｉｃｉｔ）、明示的（eｘｐｌｉｃｉｔ）リンケージ（ｌｉｎｋａｇｅ）の両方を包括する。ＬＴＥでは、一つのＤＬ ＣＣと一つのＵＬ ＣＣが固有にペアリングされている。例えば、ＬＴＥペアリングにより、ＵＬプライマリＣＣとリンケージされたＤＬ ＣＣを、ＤＬプライマリＣＣと称することができる。これを暗黙的リンケージということができる。明示的リンケージは、ネットワークがあらかじめリンケージを構成（ｃｏｎｆｉｇｕｒａｔｉｏｎ）することを意味し、ＲＲＣなどでシグナリングすることができる。明示的リンケージにおいて、ＵＬプライマリＣＣとペアリングされているＤＬ ＣＣをプライマリＤＬ ＣＣと称することができる。ここで、ＵＬプライマリ（またはアンカー）ＣＣは、ＰＵＣＣＨが伝送されるＵＬ ＣＣでよい。あるいは、ＵＬプライマリＣＣは、ＰＵＣＣＨあるいはＰＵＳＣＨを通じてＵＣＩが伝送されるＵＬ ＣＣでもよい。または、ＤＬプライマリＣＣは、上位層シグナリングによって構成されてもよい。または、ＤＬプライマリＣＣは、端末が初期接続を行ったＤＬ ＣＣでもよい。また、ＤＬプライマリＣＣ以外のＤＬ ＣＣをＤＬセカンダリＣＣと呼ぶことができる。同様に、ＵＬプライマリＣＣ以外のＵＬ ＣＣをＵＬセカンダリＣＣと呼ぶことができる。
【００８１】
ＤＬ−ＵＬペアリングは、ＦＤＤに限るものでよい。ＴＤＤは、同じ周波数を用いるため、ＤＬ−ＵＬペアリングを別に定義しなくてもよいわけである。また、ＤＬ−ＵＬリンケージは、ＳＩＢ２のＵＬ ＥＡＲＦＣＮ情報を通じてＵＬリンケージから決定することができる。例えば、ＤＬ−ＵＬリンケージを、初期接続時にＳＩＢ２デコーディングを通じて獲得し、それ以外はＲＲＣシグナリングを通じて獲得することができる。そのため、ＳＩＢ２リンケージのみ存在し、他のＤＬ−ＵＬペアリングは明示的に定義されなくてもよい。例えば、図２４の５ＤＬ：１ＵＬの構造において、ＤＬ ＣＣ#０とＵＬ ＣＣ#０とはＳＩＢ２リンケージ関係にあり、残りのＤＬ ＣＣは、当該端末に設定されていない他のＵＬ ＣＣとＳＩＢ２リンケージ関係を有することができる。
【００８２】
ＬＴＥ−Ａは、無線リソースを管理するためにセル（ｃｅｌｌ）の概念を用いる。セルは、ダウンリンクリソースとアップリンクリソースとの組み合わせで定義されるが、アップリンクリソースは必須要素ではない。そのため、ダウンリンクリソース単独、またはダウンリンクリソース及びアップリンクリソースでセルを構成することができる。キャリアアグリゲーションが支援される場合に、ダウンリンクリソースのキャリア周波数（または、ＤＬ ＣＣ）とアップリンクリソースのキャリア周波数（または、ＵＬ ＣＣ）とのリンケージ（ｌｉｎｋａｇｅ）はシステム情報により指示することができる。プライマリ周波数リソース（またはＰＣＣ）上で動作するセルをプライマリセル（Ｐｒｉｍａｒｙ  Ｃｅｌｌ、ＰＣｅｌｌ）と呼び、セカンダリ周波数リソース（またはＳＣＣ）上で動作するセルをセカンダリセル（Ｓｅｃｏｎｄａｒｙ  Ｃｅｌｌ、ＳＣｅｌｌ）と呼ぶことができる。ＰＣｅｌｌは、端末が初期接続確立（ｉｎｉｔｉａｌ  ｃｏｎｎｅｃｔｉｏｎ  ｅｓｔａｂｌｉｓｈｍｅｎｔ）手順を行ったり、接続再−確立手順を行うのに用いられる。ＰＣｅｌｌは、ハンドオーバー過程で指示されたセルでもよい。ＳＣｅｌｌは、ＲＲＣ接続が確立された後に構成可能であり、追加的な無線リソースを提供するのに用いることができる。ＰＣｅｌｌとＳＣｅｌｌをサービングセルと総称することもできる。したがって、ＲＲＣ＿ＣＯＮＮＥＣＴＥＤ状態にあるが、キャリアアグリゲーションが設定されていないか、または、キャリアアグリゲーションを支援しない端末の場合に、ＰＣｅｌｌのみで構成されたサービングセルが一つのみ存在する。一方、ＲＲＣ＿ＣＯＮＮＥＣＴＥＤ状態にあり、かつ、キャリアアグリゲーションが設定されている端末の場合は、一つ以上のサービングセルが存在し、全体サービングセルにはＰＣｅｌｌ及び全体ＳＣｅｌｌが含まれる。キャリアアグリゲーションのために、ネットワークは、初期保安活性化（ｉｎｉｔｉａｌ  ｓｅｃｕｒｉｔｙ  ａｃｔｉｖａｔｉｏｎ）過程が始まった後、接続確立過程で初期に構成されるＰＣｅｌｌに加えて、一つ以上のＳＣｅｌｌをキャリアアグリゲーションを支援する端末のために構成することができる。
【００８３】
そのため、ＰＣＣは、ＰＣｅｌｌ、プライマリ（無線）リソース、プライマリ周波数リソースに対応し、これらは互いに代用される。同様に、ＳＣＣは、ＳＣｅｌｌ、セカンダリ（無線）リソース、セカンダリ周波数リソースに対応し、これらは互いに代用される。
【００８４】
本明細書において、一部は非対称キャリアアグリゲーションを中心に記載されているが、これは説明のための例示であり、本発明は、対称キャリアアグリゲーションを含めて様々なキャリアアグリゲーションシナリオに対して制限なく適用することができる。
【００８５】
実施例：マルチキャリア状況でのＵＣＩピギーバック
【００８６】
以下、図面を参照して、キャリアアグリゲーションが支援される通信システムにおいてアップリンク制御情報を効率的に伝送するための方案を提示する。具体的に、本発明は、ＵＣＩ伝送のためにチャネル割当を決定する方法を提案する。
【００８７】
ＩＭＤ（Ｉｎｔｅｒ−Ｍｏｄｕｌａｔｉｏｎ  Ｄｉｓｔｏｒｔｉｏｎ）／ＯＯＢ（Ｏｕｔ−Ｏｆ−Ｂａｎｄ）放射問題の解消及び効率的なＵＣＩフィードバックのために、端末は、一つのＵＬ ＰＣＣを定義し、当該ＰＣＣを通じてＰＵＣＣＨ及びＣＡ ＰＵＣＣＨを伝送することができる。ここで、ＣＡ ＰＵＣＣＨとは、ＤＬ ＣＣに相応するＵＣＩ（例、ＵＬＡ／Ｎフィードバック）を伝送するＰＵＣＣＨを意味できる。通常、端末の立場で一つのＣＣに対してのみＵＬ ＰＣＣを定義することができる。しかし、端末が複数のＲＦデバイス（ＰＡ、フィルタ）を有している場合は、複数のＵＬ ＰＣＣの個数が定められてもよい（例、ＲＦ個数に合わせてＵＬ ＰＣＣの個数が決定される）。
【００８８】
根本的に、ＵＣＩピギーバックは、多重チャネルが同時に伝送される状況を回避するためにデザインされた。例えば、ＬＴＥ Ｒｅｌ−８／９において、ＤＬ ＰＤＳＣＨスケジューリングに従うＵＣＩ、特に、ＡＣＫ／ＮＡＣＫあるいは周期的ＣＳＩ（Ｃｈａｎｅｌ  Ｓｔａｔｕｓ  Ｉｎｆｏｒｍａｔｉｏｎ）は、基本的にＰＵＣＣＨを通じてＵＬ伝送される。ＣＳＩは、ＣＱＩ、ＰＭＩ及びＲＩの少なくとも一つを含む。しかし、ＵＣＩ伝送が要求されるサブフレームにＰＵＳＣＨ伝送がある場合は、端末は、当該サブフレームでＰＵＣＣＨで伝送されるＵＣＩをＰＵＳＣＨにピギーバックして伝送する。すなわち、ＰＵＳＣＨとＰＵＣＣＨの同時伝送が要求される場合に、当該サブフレームでＰＵＳＣＨ＋ＰＵＣＣＨ同時伝送を避けることによって、ＣＭ（Ｃｕｂｉｃ Ｍｅｔｒｉｃ）及びＩＭＤ問題を、ＳＣ−ＦＤＭＡ伝送と同等水準に維持することができる。そのために、端末は、サブフレームｎでＵＣＩを伝送しなければならない場合に、ＵＣＩのためのチャネル割当を決定する過程を行う。チャネル割当過程により、端末はＵＣＩをＰＵＣＣＨまたはＰＵＳＣＨに割当及び伝送することができる。ＵＣＩ伝送が必要なサブフレームｎは、ＵＣＩ種類によって自動で決定される。例えば、ＵＣＩがＡＣＫ／ＮＡＣＫの場合は、サブフレームｎはＰＤＣＣＨ（またはＰＤＳＣＨ）を受信したサブフレーム＋４と与えられる。ＵＣＩが周期的ＣＳＩの場合は、上位層シグナリングによって事前に与えられた周期／オフセットに基づいてサブフレームｎが決定される。一方、ＰＵＳＣＨ伝送のためのサブフレームは、ＵＬグラントのためのＰＤＣＣＨによってネットワーク（例、基地局、リレイ）から動的で割り当てられる。
【００８９】
類似の状況がＣＡ（Ｃａｒｒｉｅｒ  Ａｇｇｒｅｇａｔｉｏｎ）シナリオでも発生し、それに応じたＵＣＩピギーバック方法が要求される。以下、図面を参照して、本発明の実施例によって、ＰＵＳＣＨがスケジューリングされるシナリオに応じてＵＣＩをＰＵＳＣＨにピギーバックする様々な方法を提案する。説明を容易にするために、ＰＵＣＣＨがＵＬ ＰＣＣでのみ伝送されると仮定する。また、便宜上、３ ＵＬ ＣＣ構成とする。
【００９０】
以下に説明される本発明の実施例はそれぞれ独立して適用されてもよく、少なくとも２つの方法が組み合わせられて適用されてもよい。
【００９１】
図２５および図２６には、本発明の第１の実施例に係るＵＣＩピギーバックシナリオを例示する。本例は、ＵＬ ＰＣＣにＰＵＳＣＨ伝送がある場合を仮定する。図２５は、ＵＬ ＰＣＣにのみＰＵＳＣＨがスケジューリングされた場合を例示するが、図２６は、ＵＬ ＰＣＣとＵＬ ＳＣＣにＰＵＳＣＨがスケジューリングされた場合を例示する。ここで、スケジューリングされたＰＵＳＣＨは、ＨＡＲＱ動作による再伝送ＰＵＳＣＨを含むことができる。図２５及び図２６のように、少なくとも一つ以上のＰＵＳＣＨがＵＬ ＰＣＣにスケジューリングされると、ＬＴＥ Ｒｅｌ−８／９の方法と同様に、ＵＣＩをＰＣＣ ＰＵＣＣＨで伝送せず、ＰＣＣ ＰＵＳＣＨにピギーバックして伝送すればよい。
【００９２】
次に、図２７乃至図３１には、ＵＬ ＰＣＣにＰＵＳＣＨがスケジューリングされない場合を例示する。ここで、ＰＵＳＣＨがスケジューリングされない場合とは、ＨＡＲＱ動作による再伝送の場合まで含めて、ＰＵＳＣＨが伝送されない場合を含むことができる。ＵＬ初期伝送データ（ＰＵＳＣＨ）に対して基地局からＮＡＣＫを受信した場合に、端末は、同期非−適応（ｓｙｎｃｈｒｏｎｏｕｓ  ｎｏｎ−ａｄａｐｔｉｖｅ）ＨＡＲＱ動作によって、ＵＬグラントがなくても再伝送のためのＰＵＳＣＨを伝送することができる。再伝送ＰＵＳＣＨのスケジューリング情報（例、ＣＣ情報、リソースブロック割当情報など）は、初期ＰＵＳＣＨ伝送に用いられたスケジューリング情報を再利用する。言い換えると、ＰＵＳＣＨがスケジューリングされない場合とは、再伝送の場合まで含めて、送るべきＰＵＳＣＨがない場合のことを指す。一方、ＰＵＳＣＨがスケジューリングされた場合は、ＨＡＲＱ動作による再伝送ＰＵＳＣＨを含むことができる。
【００９３】
図２７及び図２８に、本発明の第２実施例に係るＵＣＩピギーバックシナリオを例示する。図２７は、複数のＳＣＣにＰＵＳＣＨ伝送がある場合を例示し、図２８は、一つのＳＣＣにＰＵＳＣＨ伝送がある場合を例示する。
【００９４】
この方案によれば、一つ以上のＳＣＣにＰＵＳＣＨ伝送がある場合に、端末は、ＰＵＳＣＨが割り当てられたＳＣＣから一つのＳＣＣを選択してＰＵＣＣＨをピギーバックすることができる。より詳しくは、ＵＣＩのピギーバックされるＰＵＳＣＨを、下記のように決定することができる。
【００９５】
− スケジューリングされたＵＬ ＳＣＣのうち、最小（あるいは、最大）の物理／論理ＣＣインデックスを有しているＳＣＣのＰＵＳＣＨにＵＣＩをピギーバックすることができる。
【００９６】
− 構成されたＵＬ ＳＣＣのうち、ＵＬ ＰＣＣを除いて最小（あるいは、最大）の物理／論理ＣＣインデックスを有しているＳＣＣのＰＵＳＣＨにＵＣＩをピギーバックすることができる。
【００９７】
− 活性化されたＵＬ ＳＣＣのうち、ＵＬ ＰＣＣを除いて最小（あるいは、最大）の物理／論理ＣＣインデックスを有しているＳＣＣのＰＵＳＣＨにＵＣＩをピギーバックすることができる。
【００９８】
上に述べたように、ＣＣは、セル、（無線）リソース、周波数リソースに対応し、互いに代用可能である。同様に、ＣＣインデックスは、セルインデックス、（無線）リソースインデックス、周波数リソースインデックスに対応し、互いに代用可能である。これはＣＣインデックス上位層シグナリング（例、ＲＲＣシグナリング）を通じて設定可能であり、変更可能である。
【００９９】
図２７及び図２８を参照すると、サブフレームｎでＵＬ ＰＣＣ ＰＵＳＣＨ伝送がなく、ＵＬ ＳＣＣ０（インデックスを１と仮定する）及びＵＬ ＳＣＣ１（インデックスを２と仮定する）でＰＵＳＣＨ初期／再伝送が行われる。ＰＵＳＣＨ再伝送は、ＵＬグラント無しで行われてもよい。（ｓｙｎｃｈｒｏｎｏｕｓ  ｎｏｎ−ａｄａｐｔｉｖｅ  ｒｅｔｒａｎｓｍｉｓｓｉｏｎ）。前述した「最小のＣＣインデックス」ベースの方案を適用すると、ＵＣＩをＵＬ ＳＣＣ０のＰＵＳＣＨにピギーバックすることができる（図２７）。もし、ＵＬ ＰＣＣでＰＵＳＣＨ伝送がなく、ＵＬ ＳＣＣ１でのみＰＵＳＣＨが伝送されるとすれば、ＰＵＳＣＨが伝送されるＵＬ ＣＣのうち、最小のインデックスを持つＣＣであるＵＬ ＳＣＣ１にＵＣＩをピギーバックすることができる（図２８）。
【０１００】
図２５乃至図２８を整理すると、下記の通りである。
【０１０１】
− ＵＬ ＰＣＣ ＰＵＳＣＨがある場合：ＵＣＩはＵＬ ＰＣＣ ＰＵＳＣＨにピギーバックされる。
【０１０２】
− ＵＬ ＰＣＣ ＰＵＳＣＨがない場合：ＵＣＩは、ＰＵＳＣＨがスケジューリングされたＵＬ ＳＣＣのうち、最小のインデックスを持つＵＬ ＳＣＣのＰＵＳＣＨにピギーバックされる。
【０１０３】
もし、ＵＬ ＰＣＣが最小のインデックスに設定されるように制限されると、上述した規則を、ＰＵＳＣＨがスケジューリングされたＵＬ ＣＣのうち、最小のインデックスを持つＵＬ ＣＣのＰＵＳＣＨにＵＣＩがピギーバックされるものと単純化することができる。すなわち、ＵＬ ＰＣＣ ＰＵＳＣＨの有無を考慮しなくて済む。
【０１０４】
図２９及び図３０に、本発明の第３実施例に係るＵＣＩピギーバックシナリオを例示する。ＵＬ ＰＣＣにＰＵＳＣＨがスケジューリングされなかった場合を解決するために、ネットワークは、ＰＵＳＣＨ（ｓ）＋ＰＵＣＣＨイベントが発生するサブフレームについては、強制的にＵＬ ＰＣＣに少なくとも一つのＰＵＳＣＨがスケジューリングされるように調節することができる。このとき、一つのＰＵＳＣＨのみをスケジューリングしてＵＬ ＰＣＣにのみＰＵＳＣＨをスケジューリングすることができる。この場合、端末は、ＰＵＳＣＨ＋ＰＵＣＣＨイベントが発生するサブフレームを、ＰＤＣＣＨデコーディングの直後に認知することができ、該端末は、ＰＵＳＣＨの少なくとも一つがＵＬ ＰＣＣにスケジューリングされることが認知できる。図２９は、ＵＬ ＰＣＣにのみＰＵＳＣＨがスケジューリングされるようにネットワークが強制する場合を示す。図３０は、少なくとも一つのＰＵＳＣＨがＵＬ ＰＣＣにスケジューリングされるようにネットワークが強制する場合を例示する。
【０１０５】
図３１は、本発明の第４実施例に係るＵＣＩピギーバックシナリオを例示する図である。ネットワークがＵＬ ＰＣＣにＰＵＳＣＨをスケジューリングしなかったにもかかわらず（すなわち、ＵＬ ＳＣＣ（ｓ）にのみＰＵＳＣＨがスケジューリングされる）、端末がＵＬ ＳＣＣ ＰＵＳＣＨ伝送をＵＬ ＰＣＣに強制的にオーバーライディング（ｏｖｅｒｒｉｄｉｎｇ）することでＵＣＩピギーバックを行うことができる。図３１を参照すると、端末は、ネットワークからＵＬ ＳＣＣ０に対するＵＬグラント０のみを受信し、ＵＬ ＰＣＣ ＰＵＳＣＨのためのＵＬグラントは受信しない。この場合、端末は、ＤＬ ＳＣＣのためのＵＬグラント０のリソース割当情報をＵＬ ＰＣＣに適用してＵＬ ＰＣＣ ＰＵＳＣＨを伝送する。その結果、ＵＣＩはＵＬ ＰＣＣ ＰＵＳＣＨにピギーバックされる。
【０１０６】
他の実施例として、ネットワークは端末に、ＵＣＩがピギーバックされるＵＬ ＣＣインデックスを、物理層シグナリング（例、ＰＤＣＣＨ）あるいはＲＲＣシグナリングで知らせることができる。ＵＬ ＣＣインデックスをＰＤＣＣＨで知らせる場合に、下記の２方法を考慮することができる。
【０１０７】
ＤＬグラントで知らせる方法
【０１０８】
− 暗黙的指示（ｉｍｐｌｉｃｉｔ  ｉｎｄｉｃａｔｉｏｎ）：
【０１０９】
スケジューリングされたＤＬ ＰＤＳＣＨのためのＰＤＣＣＨとリンクされたＵＬ ＣＣで、ピギーバックされたＰＵＳＣＨを伝送することができる。あるいは、スケジューリングされたＤＬ ＰＤＳＣＨ ＣＣとリンクされたＵＬ ＣＣで、ＵＣＩのピギーバックされたＰＵＳＣＨを伝送することができる。
【０１１０】
−明示的指示（ｅｘｐｌｉｃｉｔ  ｉｎｄｉｃａｔｉｏｎ）：
【０１１１】
クロス−キャリアスケジューリングが可能な場合（例、ＣＩＦ（Ｃａｒｒｉｅｒ  Ｉｎｄｉｃａｔｉｏｎ  Ｆｉｅｌｄ）がＰＤＣＣＨに含まれる場合）に、ＣＩＦ値が指示するＤＬ ＣＣとリンクされたＵＬ ＣＣで、ＵＣＩのピギーバックされたＰＵＳＣＨを伝送することができる。当該ＤＬ ＣＣにリンクされたＵＬ ＣＣが多い場合（例、ＵＬヘビーシナリオ）には、特定の一つのＵＬ ＣＣを選択すればよい。例えば、ＣＩＦが指示するＤＬ ＣＣにリンクされ、且つＰＵＳＣＨがスケジューリングされた複数のＵＬ ＣＣのうち、最小（あるいは、最大）のＣＣインデックスを持つＵＬ ＣＣのＰＵＳＣＨにＵＣＩをピギーバックすることができる。
【０１１２】
また、ＵＣＩのピギーバックされるＵＬ ＣＣは、既存のＴＰＣ（Ｔｒａｎｓｍｉｔ  Ｐｏｗｅｒ  Ｃｏｎｔｒｏｌ）フィールドを再使用したり、新しく定義されたフィールドを用いて指示することができる。ＤＬグラント内のＴＰＣは、３ＧＰＰ Ｒｅｌ−８／９でＰＵＣＣＨ電力制御のために用いられるフィールドである。
【０１１３】
ＵＬグラントで知らせる方法
【０１１４】
− 暗黙的指示（ｉｍｐｌｉｃｉｔ  ｉｎｄｉｃａｔｉｏｎ）：
【０１１５】
スケジューリングされたＵＬ ＰＵＳＣＨのためのＰＤＣＣＨとリンクされたＵＬ ＣＣで、ピギーバックされたＰＵＳＣＨを伝送することができる。あるいは、スケジューリングされたＵＬ ＰＵＳＣＨ ＣＣとリンクされたＵＬ ＣＣで、ＵＣＩのピギーバックされたＰＵＳＣＨを伝送することもできる。
【０１１６】
−明示的指示（ｅｘｐｌｉｃｉｔ  ｉｎｄｉｃａｔｉｏｎ）：
【０１１７】
クロス−キャリアスケジューリングが可能な場合（例、ＣＩＦがＰＤＣＣＨに含まれた場合）に、ＣＩＦ値が指示するＵＬ ＣＣで、ＵＣＩのピギーバックされたＰＵＳＣＨを伝送することができる。
【０１１８】
また、ＵＣＩがピギーバックされるＵＬ ＣＣは、既存のＴＰＣ（Ｔｒａｎｓｍｉｔ  Ｐｏｗｅｒ  Ｃｏｎｔｒｏｌ）フィールドを再使用したり、新しく定義されたフィールドを用いて指示することができる。ＵＬグラント内のＴＰＣは、３ＧＰＰ Ｒｅｌ−８／９でＰＵＳＣＨ電力制御のために用いられるフィールドである。
【０１１９】
他の実施例として、ＵＬ ＰＣＣに少なくとも一つのＰＵＳＣＨがスケジューリングされていない状態で、ＰＵＳＣＨ＋ＵＬ ＳＣＣ ＰＵＣＣＨ伝送イベントが発生すると、端末は、ＵＣＩまたはＵＬ ＳＣＣ ＰＵＳＣＨのいずれかの伝送をドロップ（ｄｒｏｐｐｉｎｇ）することができる。ドロップは、優先順位によって事前に定義されてもよく、ＰＤＣＣＨやＲＲＣシグナリングを用いて、ドロップするか否か、あるいはドロップするチャネルが指示されてもよい。
【０１２０】
− ＰＵＳＣＨドロップ：ＵＬ ＳＣＣ ＰＵＳＣＨ伝送をせずに、ＰＵＣＣＨのみを伝送することができる。ＵＬ ＳＣＣ ＰＵＳＣＨドロップは、ＣＣレベルで適用することができる。すなわち、いずれかのＵＬ ＳＣＣではＰＵＳＣＨ伝送をドロップし、いずれかのＵＬ ＳＣＣではＰＵＳＣＨ伝送を行うことができる。
【０１２１】
− ＰＵＣＣＨドロップ：ＵＣＩピギーバックをせずに、ＰＵＳＣＨのみを伝送することができる。
【０１２２】
一方、３ＧＰＰ Ｒｅｌ−１０ ＣＡ（Ｃａｒｒｉｅｒ  Ａｇｇｒｅｇａｔｉｏｎ）においてＨＡＲＱエンティティはＣＣレベル単位でＨＡＲＱ動作を行う。例えば、初期伝送がＵＬ ＣＣ＃２で行われたとすれば、そのための再伝送もＵＬ ＣＣ＃２で行われるべきである。
【０１２３】
簡単な一例として、下記のような場合を仮定する。
【０１２４】
− ＵＬ ＰＣＣ、ＵＬ ＳＣＣ＃０及びＵＬ ＳＣＣ＃１で初期伝送
−ＵＬ ＰＣＣとＵＬ ＳＣＣ＃０でデータデコーディングに成功して、ネットワーク（例、基地局、リレイ）はＰＨＩＣＨを通じて端末にＡＣＫを伝送
− ＵＬ ＳＣＣ＃１でデータデコーディングに失敗して、ネットワークはＰＨＩＣＨを通じて端末にＮＡＣＫを伝送  ⇒  端末はＵＬ ＳＣＣ＃１でＰＵＳＣＨ＃１を再伝送
【０１２５】
上述の前提の下に、本発明のさらに他の実施例によれば、ＵＬ ＳＣＣ＃１ ＰＵＳＣＨが再伝送されるサブフレームでＵＣＩ伝送が要求される場合に、ネットワークは、ＵＣＩのピギーバックされるべきＵＬ ＣＣをＵＬグラントを通じて指示することができる。
【０１２６】
一例として、下記のような場合を再び仮定する。
− ＵＬ ＰＣＣ、ＵＬ ＳＣＣ＃０及びＵＬ ＳＣＣ＃１で初期伝送
− ＵＬ ＰＣＣでデータデコーディングに成功して、ネットワーク（例、基地局、リレイ）はＰＨＩＣＨを通じて端末にＡＣＫを伝送
− ＵＬ ＳＣＣ＃０とＵＬ ＳＣＣ＃１でデータデコーディングに失敗して、ネットワークはＰＨＩＣＨを通じて端末にＮＡＣＫを伝送  ⇒  端末は、ＵＬ ＳＣＣ＃０及びＵＬ ＳＣＣ＃１でＰＵＳＣＨ＃０及び＃１を再伝送。
【０１２７】
この時、ネットワークは、ＵＣＩピギーバックが行われるＵＬ ＣＣを指示するために、ＵＬグラントを伝送することができる。端末は、ＵＬグラントに対応するＵＬ ＳＣＣのＰＵＳＣＨにＵＣＩピギーバックを行うことができる。例えば、ネットワークがＵＬ ＳＣＣ＃０のためのＵＬグラントを伝送し、端末はＵＬ ＳＣＣ＃０でＵＣＩピギーバックを行うことができる。
【０１２８】
この時、ＵＬ ＳＣＣ＃０のためのＵＬグラント（ＰＤＣＣＨ）は、ＵＬ ＳＣＣ＃０とリンクされているＤＬ ＣＣ（または、ＤＬ ＳＣＣ）から伝送されるとよい。すなわち、ＵＬグラントの伝送されたＤＬ ＣＣを通じて、間接的に、ＵＣＩのピギーバックされるＵＬ ＳＣＣを指示することができる。あるいは、クロス−キャリアスケジューリングが設定された場合に、ＵＬグラント（ＰＤＣＣＨ）はＣＩＦを用いてＵＬ ＳＣＣ＃０を指示することもできる。
【０１２９】
図３２は、本発明の一実施例に適用されうる基地局及び端末を示す図である。リレイシステムでは、図中の基地局−端末ブロックドを基地局−リレイブロック図またはリレイ−端末ブロック図に代えてもよい。
【０１３０】
図３２を参照すると、無線通信システムは、基地局（ＢＳ）１１０及び端末（ＵＥ）１２０を含む。基地局１１０は、プロセッサ１１２、メモリー１１４及び無線周波数（Ｒａｄｉｏ  Ｆｒｅｑｕｅｎｃｙ：ＲＦ）ユニット１１６を含む。プロセッサ１１２は、本発明で提案した手順及び／または方法を具現するように構成することができる。メモリー１１４は、プロセッサ１１２に接続し、プロセッサ１１２の動作と関連した様々な情報を記憶する。ＲＦユニット１１６は、プロセッサ１１２に接続し、無線信号を送信及び／または受信する。端末１２０は、プロセッサ１２２、メモリー１２４及びＲＦユニット１２６を含む。プロセッサ１２２は、本発明で提案した手順及び／または方法を具現するように構成することができる。メモリー１２４は、プロセッサ１２２に接続し、プロセッサ１２２の動作と関連した様々な情報を記憶する。ＲＦユニット１２６は、プロセッサ１２２に接続し、無線信号を送信及び／または受信する。基地局１１０及び／または端末１１０は、単一アンテナまたは多重アンテナを有することができる。
【０１３１】
以上説明してきた実施例は、本発明の構成要素及び特徴を所定形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することもできる。本発明の実施例で説明される動作の順序は変更可能である。ある実施例の一部構成や特徴は、別の実施例に含まれることもでき、別の実施例の対応する構成または特徴に取って代わることもできる。特許請求の範囲において明示的な引用関係にない請求項を結合して実施例を構成したり、出願後の補正により新しい請求項として含めたりすることができることは明らかである。
【０１３２】
本文書で、本発明の実施例は、端末と基地局間のデータ送受信関係を中心に説明されている。このような送受信関係は、端末とリレー間、または基地局とリレー間の信号送受信にも同一／類似に拡張される。本文書で基地局により行われるとした特定動作は、場合によっては、その上位ノード（ｕｐｐｅｒ  ｎｏｄｅ）により行われてもよい。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の別のネットワークノードにより実行できることは明らかである。基地局は、固定局（ｆｉｘｅｄ  ｓｔａｔｉｏｎ）、Ｎｏｄｅ Ｂ、ｅＮｏｄｅ Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０１３３】
本発明による実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１３４】
ファームウェアやソフトウェアによる具現の場合、本発明の一実施例は、以上で説明された機能または動作を行うモジュール、手順、関数などの形態で具現することができる。ソフトウェアコードは、メモリユニットに記憶されて、プロセッサにより駆動されるようにすることができる。メモリユニットは、プロセッサの内部または外部に設けられ、既に公知の様々な手段によりプロセッサとデータを交換することができる。
【０１３５】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【産業上の利用可能性】
【０１３６】
本発明は、無線移動通信システムにおける端末機、基地局、またはその他の装備に適用可能である。特に、本発明は、アップリンク制御情報を伝送する方法及びそのための装置に適用可能である。
【図１】
2013537727.tif 000015
【図２】
2013537727.tif 000016
【図３】
2013537727.tif 000017
【図４】
2013537727.tif 000018
【図５】
2013537727.tif 000019
【図６】
2013537727.tif 000020
【図７】
2013537727.tif 000021
【図８】
2013537727.tif 000022
【図９】
2013537727.tif 000023
【図１０】
2013537727.tif 000024
【図１１】
2013537727.tif 000025
【図１２】
2013537727.tif 000026
【図１３】
2013537727.tif 000027
【図１４】
2013537727.tif 000028
【図１５】
2013537727.tif 000029
【図１６】
2013537727.tif 000030
【図１７】
2013537727.tif 000031
【図１８】
2013537727.tif 000032
【図１９】
2013537727.tif 000033
【図２０】
2013537727.tif 000034
【図２１】
2013537727.tif 000035
【図２２】
2013537727.tif 000036
【図２３】
2013537727.tif 000037
【図２４】
2013537727.tif 000038
【図２５】
2013537727.tif 000039
【図２６】
2013537727.tif 000040
【図２７】
2013537727.tif 000041
【図２８】
2013537727.tif 000042
【図２９】
2013537727.tif 000043
【図３０】
2013537727.tif 000044
【図３１】
2013537727.tif 000045
【図３２】
2013537727.tif 000046
【手続補正書】
【提出日】平成25年1月21日(2013.1.21)
【手続補正１】
【補正対象書類名】明細書
【補正対象項目名】００９９
【補正方法】変更
【補正の内容】
【００９９】
図２７及び図２８を参照すると、サブフレームｎでＵＬ ＰＣＣ ＰＵＳＣＨ伝送がなく、ＵＬ ＳＣＣ０（インデックスを１と仮定する）及びＵＬ ＳＣＣ１（インデックスを２と仮定する）でＰＵＳＣＨ初期／再伝送が行われる。ＰＵＳＣＨ再伝送は、ＵＬグラント無しで行われてもよい。（ｓｙｎｃｈｒｏｎｏｕｓ  ｎｏｎ−ａｄａｐｔｉｖｅ  ｒｅｔｒａｎｓｍｉｓｓｉｏｎ）。前述した「最小のＣＣインデックス」ベースの方案を適用すると、ＵＣＩをＵＬ ＳＣＣ０のＰＵＳＣＨにピギーバックすることができる（図２７）。もし、ＵＬ ＰＣＣでＰＵＳＣＨ伝送がなく、ＵＬ ＳＣＣ０でのみＰＵＳＣＨが伝送されるとすれば、ＰＵＳＣＨが伝送されるＵＬ ＣＣのうち、最小のインデックスを持つＣＣであるＵＬ ＳＣＣ０にＵＣＩをピギーバックすることができる（図２８）。
【国際調査報告】
2013537727.tif 000047
2013537727.tif 000048
2013537727.tif 000049
2013537727.tif 000050